(57)【要約】【課題】火災感知器および既設の感知器ベースに取り付け可能かつ、終端機能を有し、機能を容易に変更または追加が可能な感知器用アダプタを提供することを目的としている。【解決手段】設置面３０に取り付けられ、火災受信機１から延設された感知器回線３が接続される感知器ベース５０と、火災感知器２０と、の間に設けられ、導電性の端子部４２Ａを介して火災感知器２０および感知器ベース５０に接続される感知器用アダプタ４０であって、アダプタ本体４０Ａと、アダプタ本体４０Ａに着脱自在に設けられる回路基板７０と、を備え、アダプタ本体４０Ａは、回路基板７０を収納するために、回路基板７０の高さよりも深く凹んだ基板収納部４４Ａと、端子部４２Ａに設けられ、回路基板７０を係止する係止手段４３Ａと、を有するものである。【選択図】図８
2014170495.tif 000002
【特許請求の範囲】
【請求項１】
設置面に取り付けられ、火災受信機から延設された感知器回線が接続される感知器ベースと、火災感知器と、の間に設けられ、導電性の端子部を介して前記火災感知器および前記感知器ベースに接続される感知器用アダプタであって、
アダプタ本体と、
前記アダプタ本体に着脱自在に設けられる回路基板と、を備え、
前記アダプタ本体は、
前記回路基板を収納するために、前記回路基板の高さよりも深く凹んだ基板収納部と、
前記端子部に設けられ、前記回路基板を係止する係止手段と、を有する
ことを特徴とする感知器用アダプタ。
【請求項２】
前記回路基板を保護するアダプタカバーを備え、
前記アダプタカバーは、
前記基板収納部に設けられた第一嵌合部に嵌合され、前記アダプタ本体に取り付けられる第二嵌合部を有する
ことを特徴とする請求項１に記載の感知器用アダプタ。
【請求項３】
設置面に取り付けられ、火災受信機から延設された感知器回線が接続される感知器ベースと、火災感知器と、の間に取り付けられるアダプタ本体と、
穴部と該穴部の周りに電極パターンが設けられた回路基板を保護するアダプタカバーと、を備え、
前記アダプタ本体は、
前記回路基板を収納するために凹んだ基板収納部と、
該基板収納部の側面に設けられた第一嵌合部と、
前記感知器ベースを介して前記感知器回線と導通する導電性の端子部と、
該端子部に設けられたフックと、を有し、
前記アダプタカバーは、
該アダプタカバーの外周を構成し、前記回路基板の側面を覆えるように設けられた側面部と、
該側面部に設けられた第二嵌合部と、を有し、
前記穴部を前記フックに掛け、前記端子部と前記電極パターンが接触し、導通するように前記回路基板を前記基板収納部に収納した後、
前記第一嵌合部と前記第二嵌合部とを嵌合させることにより、前記アダプタカバーを前記アダプタ本体に取り付ける
ことを特徴とする感知器用アダプタ。
【請求項４】
終端抵抗を有し、前記感知器回線を介して火災感知器から異常信号を受信し、該異常信号を受信した際に、前記終端抵抗と前記感知器回線との接続を切り離す機能を有する前記回路基板が搭載される
ことを特徴とする請求項３に記載の感知器用アダプタ。
【請求項５】
前記アダプタカバーは基板押さえ込み部を有し、
前記アダプタ本体に前記アダプタカバーを取り付けた際、
前記基板押さえ込み部で前記回路基板を前記基板収納部側に押さえ込むことで前記回路基板を固定する
ことを特徴とする請求項３または４に記載の感知器用アダプタ。
【発明の詳細な説明】
【技術分野】
【０００１】
本発明は、終端機能を有する回路基板を搭載する感知器用アダプタに関するものである。
【背景技術】
【０００２】
例えば、従来の火災報知設備には、火災受信機が中央監視室内に配設されて、火災受信機から感知器回線としてライン線と、コモン線が配設され、ライン線とコモン線は終端抵抗を介して接続されているものがある（例えば、特許文献１参照）。
このような火災受信機は、Ｐ型火災受信機と呼ばれ、ライン線とコモン線との間の電圧を火災閾値、断線閾値等の各閾値との比較により火災等の判断をしている。
【０００３】
特許文献１に記載の火災報知設備では、感知器回線の配線の異常は判別できるが、火災感知器に不具合（異常）が発生した場合に、火災受信機で火災感知器の不具合を音声や表示等により報知することができなかった。
火災感知器に不具合が発生したことを火災受信機で報知させるためには、火災感知器に不具合が発生したことを火災受信機にパルス等の信号出力する自己点検機能を備える火災感知器を用いるとともに、火災感知器と通信を行う専用の火災受信機（例えば、Ｒ型）に取り替えなければならないという問題があった。
【０００４】
そこで、既設の火災受信機を取り替えることなく、火災感知器で発生した不具合を専用の火災受信機でなくとも報知することを可能とする火災報知設備、およびそれに利用する火災感知器が考えられる。
この場合、感知器回線の終端に接続される火災感知器には、感知器回線を介して火災感知器から信号を受信し、異常信号を受信した際に終端抵抗と感知器回線との接続を断続的に切り離す機能を追加することが考えられる。その機能を追加することで、専用の火災受信機でない場合でも、既設の火災受信機で火災感知器の不具合を報知することができ、感知器回線の配線が断線なのか、火災感知器の不具合であるのか、を火災受信機において判別することができる。
【０００５】
そのため、感知器回線の終端に接続される火災感知器に、感知器回線を介して火災感知器から信号を受信し、異常信号を受信した際に終端抵抗と感知器回線との接続を断続的に切り離す機能（以下、終端機能と称する）を搭載する必要がある。
従来において、火災感知器に特定の機能を追加する際は、火災感知器と感知器ベースとの間に、その機能を持たせた感知器用アダプタを取り付けていた（例えば、特許文献２参照）。
【先行技術文献】
【特許文献】
【０００６】
【特許文献１】特開平６−１７６２８９号公報
【特許文献２】特開平５−３２５０６１号公報
【発明の概要】
【発明が解決しようとする課題】
【０００７】
特許文献２に記載の感知器用アダプタでは、その機能専用のものであるため、他の機能に変更したり、機能を追加したりする必要が生じた場合でも、機能を変更したり追加したりすることはできないため、拡張性が悪いという課題があった。
また、機能に対応した感知器用アダプタを新たに作り直すことは可能だが、コストがかかり、経済性が悪いという課題があった。
【０００８】
本発明は、以上のような課題を解決するためになされたもので、火災感知器および既設の感知器ベースに取り付け可能で、かつ、終端機能を有する回路基板を搭載し、その機能の変更または機能の追加が容易な感知器用アダプタを提供することを目的としている。
【課題を解決するための手段】
【０００９】
本発明に係る感知器用アダプタは、設置面に取り付けられ、火災受信機から延設された感知器回線が接続される感知器ベースと、火災感知器と、の間に設けられ、導電性の端子部を介して火災感知器および感知器ベースに接続される感知器用アダプタであって、アダプタ本体と、アダプタ本体に着脱自在に設けられる回路基板と、を備え、アダプタ本体は、回路基板を収納するために、回路基板の高さよりも深く凹んだ基板収納部と、端子部に設けられ、回路基板を係止する係止手段と、を有するものである。
【発明の効果】
【００１０】
本発明に係る感知器用アダプタによれば、火災感知器および既設の感知器ベースに取り付け可能で、かつ、終端機能を有する回路基板を搭載し、その機能の変更または機能の追加が容易なため、拡張性および経済性に優れている。
【図面の簡単な説明】
【００１１】
【図１】本発明の実施の形態１に係る感知器用アダプタに搭載された回路基板が接続された火災報知設備の概要構成例図である。
【図２】本発明の実施の形態１に係る感知器用アダプタに搭載される回路基板に実装される終端機能を実現する制御回路の構成の一例である。
【図３】本発明の実施の形態１に係る感知器用アダプタを火災感知器と既設の感知器ベースとの間に取り付けた際の側面図である。
【図４】図３に示す感知器ベースの正面図である。
【図５】本発明の実施の形態１に係る感知器用アダプタのアダプタ本体の正面図および裏面図である。
【図６】図２に示す制御回路が実装された回路基板の正面斜視図である。
【図７】本発明の実施の形態１に係る感知器用アダプタのアダプタカバーの正面斜視図である。
【図８】本発明の実施の形態１に係る感知器用アダプタに図６に示す回路基板を搭載する際の正面斜視図である。
【図９】本発明の実施の形態２に係る感知器用アダプタのアダプタカバーの正面斜視図である。
【発明を実施するための形態】
【００１２】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
実施の形態１．
図１は、本発明の実施の形態１に係る感知器用アダプタ４０に搭載された回路基板７０が接続された火災報知設備１００の概要構成例図である。なお、図１においては、３つの火災感知器２０が設けられ、感知器回線３の終端の火災感知器２０の所で、感知器回線３に、感知器用アダプタ４０に搭載された、終端抵抗１５を内蔵し終端機能を有する回路基板７０を接続して構成したものである。この回路基板７０は、火災受信機１に対して感知器回線３の終端に接続され、平常時に終端抵抗１５を感知器回線３に接続して微少電流を流すことにより、感知器回線３が末端まで接続され途中で断線していないこと、および火災感知器２０に異常が発生していないことを火災受信機１に知らせる機能を有する。ここで、本実施の形態１では火災感知器２０の数は３つであるが、それに限定されるものではない。
【００１３】
火災報知設備１００は、火災感知器２０のそれぞれで発生した不具合を報知することができるとともに、その不具合を火災受信機１で警報させることで火災受信機１において火災感知器２０の不具合を把握可能にしたものである。
火災報知設備１００は、建物（例えば、ホテル、マンションなどの集合住宅、オフィスビル、商業施設など）の各部屋等に設置される火災感知器２０と、火災感知器２０の検出結果に基づいた警報をするＰ型の火災受信機１とが、感知器回線３であるコモン線３Ａおよびライン線３Ｂにより接続されて構成されている。Ｐ型火災受信機とは、コモン線３Ａ、ライン線３Ｂからなる感知器回線３に接続されている火災感知器２０の電気的な接点が閉じることにより、感知器回線３の電気的な変化に基づいて火災を判断するものである。
また、Ｐ型受信機は、終端抵抗１５を介して微少な電流を感知器回線３に流し、終端抵抗１５による微少電流が流れなくなったときに感知器回線３の断線を判断するものである。
以下、コモン線３Ａおよびライン線３Ｂをまとめて感知器回線３と称する。
【００１４】
図２は、本発明の実施の形態１に係る感知器用アダプタ４０に搭載される回路基板７０に実装される終端機能を実現する制御回路１０の構成の一例である。
図１に示す回路基板７０には終端機能を実現する制御回路１０が実装されており、制御回路１０には図２に示すように受信回路１２、定電圧回路１１、切離回路１４、判別回路１３、および終端抵抗１５が設けられ、終端抵抗１５は、切離回路１４および感知器回線３に接続されている。
受信回路１２は、感知器回線３の電圧を監視するものである。すなわち、回路基板７０の受信回路１２は、火災感知器２０からの異常信号を、感知器回線３を介して受信する。
定電圧回路１１は、受信回路１２などに動作用の所定の定電圧を供給するものである。
切離回路１４は、判別回路１３の出力に基づいて、終端抵抗１５と感知器回線３との接続を制御するものである。すなわち、判別回路１３は火災感知器２０のいずれかが不具合であると判別するとその判別結果に対応する出力をし、その出力を受信した切離回路１４は感知器回線３と終端抵抗１５との接続を切離し、所定時間経過後に接続し、さらに所定時間経過後に再び切り離す動作を繰り返す。
【００１５】
これにより、Ｐ型の火災受信機１であっても、感知器回線３の断続的な断線を異常信号として検出して断続的に異常を警報することができ、火災感知器２０の不具合を知ることができる。すなわち、本実施の形態１に係る火災報知設備１００は、感知器回線３の終端に、感知器用アダプタ４０に搭載された回路基板７０を接続したので、火災感知器２０の自己点検による結果を受信して制御できる専用の火災受信機ではない火災受信機１でも、火災感知器２０の不具合を報知することができる。
【００１６】
図３は、本発明の実施の形態１に係る感知器用アダプタ４０を火災感知器２０と既設の感知器ベース５０との間に取り付けた際の側面図である。図３は、天井３０に感知器ベース５０が取り付けられ、次に感知器ベース５０に感知器用アダプタ４０が取り付けられ、最後に感知器用アダプタ４０に火災感知器２０が取り付けられている様子を表している。
次に、本実施の形態１に係る感知器用アダプタ４０に取り付けられる火災感知器２０の一例である煙感知器について説明する。
【００１７】
火災感知器２０は、その外装を構成するケース本体２１と、そのケース本体２１内に設けられた煙感知ユニット２５とを有して構成される。
ケース本体２１は平面視して円形であり、その表面２２には、裏面２７から表面２２方向に突出した蓋部２４と、その蓋部２４とケース本体２１の表面２２との間に設けられた、煙を導入するための開口部２６とを有して構成される。
なお、蓋部２４は延設部２３を介して、ケース本体２１と一体的に構成される。
また、ケース本体２１の裏面２７には、周方向に沿って図示省略の導電性の刃金具が４つ設けられている。なお、ケース本体２１の裏面２７は図示省略しているが、後述する図５（ｂ）と同様である。また、刃金具については後述する。
ここで、本実施の形態１では刃金具の数は４つであるが、それに限定されるものではない。
【００１８】
次に、煙感知ユニット２５を含むケース本体２１内部の構成について説明する。
煙感知ユニット２５は、例えば円筒状に構成されたもので、側面部の外周面全体が煙を導入する導入部分として構成されている。この側面部の外周面は、煙などの気体が通過可能で、かつ、虫などが侵入しないように防虫金網等で構成されている。
【００１９】
また、煙感知ユニット２５の内部には、図示省略の発光素子と、図示省略の受光素子とが同心円状で、かつ、この同心円の中心と発光素子および受光素子のそれぞれを結ぶ線分が所定の角度となるように配置されている。そして、発光素子と受光素子は侵入する煙を検知するための図示省略の煙センサーを構成している。
【００２０】
この煙感知ユニット２５は、発光素子から定期的に光が出射されている。そして、煙感知ユニット２５は、煙が侵入すると、侵入した煙の粒子によって光が拡散されるため、受光素子に光が到達し受光状態を煙の検知結果として図示省略の警報制御部に出力する。煙感知ユニット２５の内部は例えば迷路(ラビリンス)状に形成されており、外光が煙感知ユニット２５内に直接または間接的に入らないようになっているため、外光が受光素子に受光されることはなく、煙の検知に影響しないようになっている。
【００２１】
図４は、図３に示す感知器ベース５０の正面図である。
次に、本実施の形態に係る感知器用アダプタ４０が取り付けられる感知器ベース５０の構造について説明する。
感知器ベース５０はケース本体２１と同様に平面視して円形であり、周方向に沿って、導電性の端子部５１および端子部５１と一体成形された刃受金具５２がそれぞれ４つ設けられており、同じく周方向に沿ってネジ挿通穴５３が２つ形成されており、中央部には引き込み口５４が形成されている。
ここで、本実施の形態１では端子部５１および刃受金具５２の数は４つ、ネジ挿通穴５３の数は２つであるが、それらに限定されるものではない。
【００２２】
ネジ挿通穴５３は、感知器ベース５０を設置面（本実施の形態では天井３０とする）にネジ止めして取り付けるために設けられたものである。
刃受金具５２は感知器用アダプタ４０を感知器ベース５０に取り付けるためのものであり、火災感知器２０を感知器ベース５０に取り付けるためのものでもある。
【００２３】
引き込み口５４は、外部から感知器回線３（コモン線３Ａおよびライン線３Ｂ）を感知器ベース５０内に引き込むために設けられた穴であり、引き込み口５４から感知器ベース５０内に引き込まれた感知器回線３は端子部５１に接続される。
【００２４】
図５（ａ）は、本発明の実施の形態１に係る感知器用アダプタ４０のアダプタ本体４０Ａの正面図、図５（ｂ）は、本発明の実施の形態１に係る感知器用アダプタ４０のアダプタ本体４０Ａの裏面図である。
なお、感知器用アダプタ４０は、アダプタ本体４０Ａと後述するアダプタカバー４０Ｂとから構成されている。また、アダプタ本体４０Ａとアダプタカバー４０Ｂは、ともにプラスチック等の絶縁体で形成されている。
【００２５】
アダプタ本体４０Ａはケース本体２１および感知器ベース５０と同様に平面視して円形であり、その正面には、周方向に沿って、導電性の刃受金具４１Ａが４つ設けられており、そのうちの対向する２つには、導電性の端子部４２Ａが一体成形されて設けられている。そして、その２つの端子部４２Ａの端部には、アダプタ本体４０Ａの正面（図５（ａ）の紙面直交方向かつ手前側）に向かって突出したフック４３Ａ（係止手段）が設けられている。
また、アダプタ本体４０Ａの中央部には回路基板７０の形状に沿って凹んだ基板収納部４４Ａが設けられており、基板収納部４４Ａの側面には、対向する２箇所にアダプタ本体４０Ａの中心に向かって突出した凸部（第一嵌合部）４５Ａが設けられている。
なお、回路基板７０の形状等については後述する。
【００２６】
また、アダプタ本体４０Ａの裏面４６Ａには、周方向に沿って導電性の刃金具４７Ａが４つ設けられており、刃金具４７Ａと刃受金具４１Ａとは導通している。
ここで、本実施の形態１では刃金具４７Ａおよび刃受金具５２の数は４つ、端子部４２Ａ、フック４３Ａ、および凸部４５Ａの数は２つであるが、それらに限定されるものではない。
【００２７】
次に、火災感知器２０、感知器用アダプタ４０、感知器ベース５０それぞれの天井（設置面）３０への取り付け方法について説明する。
まず初めに、図３に示すように感知器ベース５０の裏面を天井３０に向け、ネジ挿通穴５３にネジを通して天井３０にネジ止めして取り付ける。
次に、感知器用アダプタ４０（アダプタ本体４０Ａ）の裏面４６Ａに設けられた刃金具４７Ａを、感知器ベース５０の正面に設けられた刃受金具５２に合わせて回転させることにより、刃金具４７Ａが刃受金具５２に結合して感知器用アダプタ４０が感知器ベース５０に取り付けられる。
最後に、火災感知器２０の裏面２７に設けられた図示省略の刃金具を、感知器用アダプタ４０（アダプタ本体４０Ａ）の正面に設けられた刃受金具４１Ａに合わせて回転させることにより、図示省略の刃金具が刃受金具４１Ａに結合して火災感知器２０が感知器用アダプタ４０に取り付けられる。
【００２８】
なお、引き込み口５４から感知器ベース５０内に引き込まれた感知器回線３は端子部５１に接続されるが、端子部５１と一体成形された刃受金具５２と結合した刃金具４７Ａとは導通する。また、刃金具４７Ａは、刃受金具４１Ａと導通するため、刃受金具４１Ａと結合した図示省略の刃金具を介して、火災感知器２０は感知器回線３と導通する。
【００２９】
図６は、図２に示す制御回路１０が実装された回路基板７０の正面斜視図である。
回路基板７０は平面視して円形の対向する２つの端面を互いに平行となるように切り欠いた形状である。その切り欠いた端面とは異なる位置に、外周方向に突出した接触部７２が互いに対向するように２つ設けられている。また、２つの接触部７２には穴部７１が設けられており、穴部７１の周りには電極パターン７３がそれぞれ設けられており、電極パターン７３と制御回路１０とは導通する。
【００３０】
図７は、本発明の実施の形態１に係る感知器用アダプタ４０のアダプタカバー４０Ｂの正面斜視図である。
アダプタカバー４０Ｂは平面視して回路基板７０と同様の形状であるが、大きさは回路基板７０よりも一回り大きくなっており、外周を構成する側面部４１Ｂは、回路基板７０の側面を覆えるように設けられている。また、側面部４１Ｂの内側からアダプタカバー４０Ｂの中心に向かって基板押さえ込み部４２Ｂが４つ設けられている。この基板押さえ込み部４２Ｂの高さは、側面部４１Ｂの高さに比べ、回路基板７０の厚さ程度低くなっている。また、側面部４１Ｂには、アダプタカバー４０Ｂをアダプタ本体４０Ａの基板収納部４４Ａに取り付ける際、凸部４５Ａに対応する位置に凹部（第二嵌合部）４３Ｂが２つ設けられている。
ここで、本実施の形態１では基板押さえ込み部４２Ｂの数は４つ、凹部４３Ｂの数は２つであるが、それらに限定されるものではない。また、凹部４３Ｂは、凸部４５Ａが挿通する穴であってもよい。
【００３１】
図８は、本発明の実施の形態１に係る感知器用アダプタ４０に図６に示す回路基板７０を搭載する際の正面斜視図である。
次に、回路基板７０の感知器用アダプタ４０への搭載方法について説明する。
まず初めに、回路基板７０の２つの穴部７１をアダプタ本体４０Ａのフック４３Ａにそれぞれ掛け、端子部４２Ａと電極パターン７３が接触するように回路基板７０を基板収納部４４Ａに収納する。ここで、フック４３Ａは、回路基板７０の穴部７１の穴の内径より若干小さく、回路基板７０の厚さよりも突出した形状となっている。また、回路基板７０は、アダプタ本体４０Ａに着脱自在となっている。
次に、アダプタカバー４０Ｂの正面をアダプタ本体４０Ａおよび回路基板７０に向け、２つの凹部４３Ｂが凸部４５Ａの位置に合うようにアダプタカバー４０Ｂを基板収納部４４Ａに押し込み、凹部４３Ｂと凸部４５Ａとを嵌合させることにより、アダプタカバー４０Ｂをアダプタ本体４０Ａに取り付ける。この際、基板押さえ込み部４２Ｂが回路基板７０を押さえ込むため、回路基板７０が基板収納部４４Ａ内で動くのを抑制できる。ここで、凸部４５Ａと凹部４３Ｂは、２つのフック４３Ａを結ぶ線に対して直交する位置に設けられている。
【００３２】
なお、端子部４２Ａは電極パターン７３と接触しており、端子部４２Ａと感知器回線３とは、端子部５１、刃受金具５２、刃金具４７Ａ、および刃受金具４１Ａを介して導通するため、感知器回線３と回路基板７０とは導通する。そのため、回路基板７０と火災感知器２０とも、端子部４２Ａ、刃受金具４１Ａ、刃金具４７Ａ、および図示省略の火災感知器２０の刃金具を介して導通する。
【００３３】
以上のようにして、終端機能を有する回路基板７０を感知器用アダプタ４０に搭載し、その感知器用アダプタ４０を火災感知器２０および既設の感知器ベース５０に取り付けることにより、火災報知設備１００に終端機能を追加することが可能である。
そのため、終端機能を有しない火災報知設備に終端機能を追加したい場合でも、感知器回線３の終端に接続された火災感知器２０および既設の感知器ベース５０に、終端機能を有する回路基板７０を搭載した感知器用アダプタ４０を取り付けることで実現でき、専用の火災感知器や感知器ベースに取り替えずに済むため、コストを抑えることができる。
【００３４】
また、火災報知設備１００に搭載する機能を、終端機能以外の機能、例えば火災感知器２０が火災を検知したことを警報するブザー機能などに変更したり、ブザー機能を追加したりする必要が生じた場合でも、それに対応した回路基板７０のみを感知器用アダプタ４０に付け替えることで実現できるため、拡張性に優れている。
【００３５】
また、機能を変更したり追加したりしても、感知器用アダプタ４０は共通で使用でき、感知器用アダプタ４０を新たに作り直す必要がないため、コストを抑えられ、経済性に優れている。
【００３６】
また、以上の構成となっているため、感知器用アダプタ４０から回路基板７０の付け替えが容易であり、生産性に優れている。
また、機能の変更や追加でなくても、長年使用することによって回路基板７０が劣化した場合に、新しいものに付け替える必要があるが、付け替えが容易であるため、メンテナンス性に優れている。
【００３７】
また、感知器用アダプタ４０を火災感知器２０および既設の感知器ベース５０に取り付けても、天井３０等の設置面に大きな穴を開ける必要もないため、設置場所を変更する際に設置面の修復が大がかりになるということもない。
【００３８】
また、感知器用アダプタ４０を火災感知器２０および既設の感知器ベース５０に取り付けることにより、火災感知器２０または既設の感知器ベース５０に感知器用アダプタ４０を介して搭載できるスペースが増えるため、回路基板７０以外に搭載したい部品等があった場合でも搭載しやすい。
【００３９】
実施の形態２．
図９は、本発明の実施の形態２に係る感知器用アダプタのアダプタカバー８０の正面斜視図である。
以下、本実施の形態２について説明するが、本実施の形態１と重複するものについては省略する。
本実施の形態２では、アダプタカバー８０の側面部８１に凹部８２は設けられているが、本実施の形態１のアダプタカバー４０Ｂに設けられた基板押さえ込み部４２Ｂが設けられていない。
そのため、高さのある電子部品を実装すると回路基板７０の厚さも増えるが、アダプタカバー４０Ｂの場合に比べ、アダプタカバー８０の方がより厚さのある回路基板７０を取り付けることができる。
【００４０】
しかし、回路基板７０を感知器用アダプタ４０にそのまま取り付けると、感知器用アダプタ４０内（アダプタ本体４０Ａとアダプタカバー４０Ｂとの間）で動いてしまい、回路基板７０の電極パターン７３とアダプタ本体４０Ａの端子部４２Ａとが非接触となり、導通しなくなってしまう可能性がある。
そこで、回路基板７０の電極パターン７３をアダプタ本体４０Ａの端子部４２Ａにハンダ付けで固定することにより、上記問題を解決できる。
【００４１】
また、回路基板７０を一回り大きくし、回路基板７０の側面と側面部４１Ｂとの間に隙間がないようにして回路基板７０を側面部４１Ｂで保持することによっても上記問題を解決できる。
【００４２】
また、アダプタカバー８０の底面８３の厚さを厚くし、側面部４１Ｂ以外のアダプタカバー８０全体で回路基板７０を押さえ込むことによっても上記問題を解決できる。
【００４３】
なお、基板収納部４４Ａ、回路基板７０、アダプタカバー４０Ｂ、８０の形状は、それらに限定されるものではない。
【００４４】
また、本実施の形態では回路基板７０が凹形状の凹部４３Ｂ、アダプタ本体が凸形状の凸部４５Ａをそれぞれ有しているが、回路基板７０とアダプタ本体４０Ａとで凹形状と凸形状がそれぞれ反対に設けられていてもよい。
【符号の説明】
【００４５】
１  火災受信機、３  感知器回線、３Ａ  コモン線、３Ｂ  ライン線、１０  制御回路、１１  定電圧回路、１２  受信回路、１３  判別回路、１４  切離回路、１５  終端抵抗、２０  火災感知器、２１  ケース本体、２２  （ケース本体の）表面、２３  （ケース本体の）延設部、２４  （ケース本体の）蓋部、２５  煙感知ユニット、２６  （ケース本体の）開口部、２７  （ケース本体の）裏面、３０  天井（設置面）、４０  感知器用アダプタ、４０Ａ  アダプタ本体、４１Ａ  （アダプタ本体の）刃受金具、４２Ａ  （アダプタ本体の）端子部、４３Ａ  フック（係止手段）、４４Ａ  基板収納部、４５Ａ  凸部（第一嵌合部）、４６Ａ  （アダプタ本体の）裏面、４７Ａ  刃金具、４０Ｂ  アダプタカバー、４１Ｂ  側面部、４２Ｂ  基板押さえ込み部、４３Ｂ  凹部（第二嵌合部）、５０  感知器ベース、５１  （感知器ベースの）端子部、５２  （感知器ベースの）刃受金具、５３  ネジ挿通穴、５４  引き込み口、７０  回路基板、７１  穴部、７２  接触部、７３  電極パターン、８０  アダプタカバー、８１  側面部、８２  凹部、８３  底面、１００  火災報知設備。
【図１】
2014170495.tif 000003
【図２】
2014170495.tif 000004
【図３】
2014170495.tif 000005
【図４】
2014170495.tif 000006
【図５】
2014170495.tif 000007
【図６】
2014170495.tif 000008
【図７】
2014170495.tif 000009
【図８】
2014170495.tif 000010
【図９】
2014170495.tif 000011